(57)【要約】【課題】サーバに組み込まれるコネクタソケットモジュール装置に関し、低背化を図ることを目的とする。【解決手段】中継基板５３Ｂとこれに実装してあるI/Oコネクタソケット５２−１〜５２−４及び中継コネクタ１１０とを有するコネクタソケットモジュール本体５１Ｂと、コネクタソケットモジュール本体５１Ｂを支持するフレーム部材１２０及びアーム部材１３０とを有する。中継コネクタ１１０は、接続口１１０ａが中継基板５３Ｂの後方を向いている。アーム部材１３０は、中継基板５３Ｂの下端に固定してあり、メインボード１５０を中継基板５３Ｂの下端よりも高い位置で支持する第１の腕部１３２Ｒ，１３２Ｌを有する。メインボード１５０は、その端面１５０ｃＬが中継基板５３Ｂの背面５３Ｂｂに対向する。【選択図】図１０
2008270140.tif 000002
【特許請求の範囲】
【請求項１】
複数のコネクタソケットと、
前記コネクタソケットが前面側に配列され、当該コネクタソケットに接続される配線がパターニングされる中継基板と、
前記中継基板の背面側に配設され、前記配線を介して前記コネクタソケットと電気的に接続される中継コネクタと、
前記中継コネクタと接続されるメインボード側コネクタを有するメインボードを前記中継基板の背面側から延出するように、前記中継基板の下端と上端との間の所定の高さ位置で支持するメインボード支持手段と
を含む、コネクタソケットモジュール。
【請求項２】
前記メインボード支持手段は、前記中継基板の下端側に結合され、前記中継基板の背面から突出し、前記メインボードを支持する第１の腕部を有するアーム部材であり、
前記メインボードは前記第１の腕部上に支持されて、前記第１の腕部に固定される、請求項１記載のコネクタソケットモジュール。
【請求項３】
前記第１の腕部は、その先端に前記メインボードを支持する支持部を有し、且つ、前記支持部が前記第１の腕部の根元の部分より高い位置に位置させる形状を有する請求項２記載のコネクタソケットモジュール。
【請求項４】
前記中継基板は、その下端側に切欠き部を有し、
前記アーム部材は、前記切欠き部に嵌合している請求項２記載のコネクタソケットモジュール。
【請求項５】
前記中継コネクタは、その接続口が前記中継基板の後方を向く構成である請求項１記載のコネクタソケットモジュール。
【請求項６】
前記コネクタソケットモジュール本体を支える本体部と、前記中継基板のコーナの箇所から前記中継基板の前方に突出して前記シャーシパネルに当接する突出部とを有するフレーム部材を更に備えた請求項１記載のコネクタソケットモジュール。
【請求項７】
前記フレーム部材は、前記シャーシパネルに固定されるブラケット部を更に有する請求項７記載のコネクタソケットモジュール。
【請求項８】
前記アーム部材は、前記中継基板の前方に突出して前記シャーシパネルに当接する第２の腕部を更に有する請求項２記載のコネクタソケットモジュール。
【請求項９】
前記メインボード側コネクタは、前記メインボードの下面側に配設されており、
前記メインボード支持手段は、前記中継基板の背面側に取り付けられるフレームと、当該フレームに取り付けられて前記メインボードの下面側から当該メインボードを支持するアーム部材とを含み、当該アーム部材は、前記メインボード側コネクタと、当該メインボード側コネクタに接続される前記中継コネクタとを避けるように配設される、請求項１に記載のコネクタソケットモジュール。
【請求項１０】
前記アーム部材は、平面視において、前記メインボードを支持するための一対のアーム部を幅方向における両端部に有する、請求項９に記載のコネクタソケットモジュール。
【請求項１１】
請求項１乃至１０のいずれか一項に記載のコネクタソケットモジュールと、前記メインボード支持手段によって支持される前記メインボードとが前記シャーシパネル内に組み込まれる、電子機器。
【発明の詳細な説明】
【技術分野】
【０００１】
本発明はコネクタソケットモジュールに係り、特にサーバ及びルータ等に組み込まれるコネクタソケットモジュール及びこれを用いた電子機器に関する。
【０００２】
サーバ及びルータ等は、設計及び組み立てがし易い構造、及び、保守がし易い構造であることが望ましい。
【背景技術】
【０００３】
図１及び図２は従来のサーバ１０の一部を示す。サーバ１０は、I/O(Input/Output)コネクタソケットの数が多いタイプであり、シャーシパネル１１内に二つのメインボード２０，２１が組み込んであり、メインボード２０の端に並んで実装される複数のI/Oコネクタソケット３０と、メインボード２１の端に並んで実装される複数のI/Oコネクタソケット３１とが、フロントパネル１２の開口より突き出して二列に並んでいる構成である。
【０００４】
サーバ１０は、I/Oコネクタソケット３０、３１に、ケーブル３９の端のケーブル側コネクタプラグ４０が接続された状態で使用される。
【特許文献１】特開平９−６４７９号公報
【発明の開示】
【発明が解決しようとする課題】
【０００５】
上記のサーバ１０は、I/Oコネクタソケット３０、３１を二列に配置するために、二枚のメインボード２０、２１が必要となり、制御回路を二枚のメインボード２０、２１に分けて構成する必要があり、設計及び組み立てがし難いものであった。
【０００６】
本出願人は、上記課題を解決するためのコネクタソケットモジュールを、特願２００６−１２５７７４号で提案した。
【０００７】
図３は、このコネクタソケットモジュール５０を、メインボード装置７０と対応させて示す、即ち、コネクタソケットモジュール装置８０を分解して示す。Ｘ１−Ｘ２はコネクタソケットモジュール５０の幅方向、Ｙ１−Ｙ２は奥行き方向、Ｚ１−Ｚ２は高さ方向である。
【０００８】
図４及び図５は、コネクタソケットモジュール装置８０がサーバ１０Ａのシャーシパネル１１Ａ内に組み込んである状態を示す。シャーシパネル１１Ａは、フロントパネル１２Ａと、底板１３Ａと、天板１４Ａとを有する。フロントパネル１２Ａは、後述するコネクタソケット５２−１〜５２−４に対応した開口を有する。
【０００９】
サーバ１０Ａはコネクタソケットモジュール装置８０がシャーシパネル１１Ａ内に組み込んである構成であり、コネクタソケットモジュール装置８０はコネクタソケットモジュール５０とメインボード装置７０とを含み、コネクタソケットモジュール５０はコネクタソケットモジュール本体５１とフレーム部材６０とを含む。
【００１０】
コネクタソケットモジュール本体５１は、中継基板５３の前面に４つのコネクタソケット５２−１〜５２−４が第１の横列ＨＬ１と第２の横列ＨＬ２及び第１の縦列ＶＬ１と第２の縦列ＶＬ２に整列して実装してあり、中継基板５３の背面に実装用のコネクタ５４が実装される構成である。横列ＨＬ１、ＨＬ２間の間隔はｐ１であり、縦列ＶＬ１、ＶＬ２間の間隔はｐ２である。モジュール本体５１は、ねじ部材５５によって、中継基板５３を金属製のフレーム部材６０にねじ止めされて固定される。中継コネクタ５４は、接続口５４ａをＺ２側に有する。
【００１１】
メインボード装置７０は、メインボード７５上にメインボード側コネクタ７１等が実装される構成である。このメインボード側コネクタ７１の接続口７１ａはＺ１側を向いている。
【００１２】
コネクタソケットモジュール装置８０は、図３、図４及び図５に示すように、メインボード側コネクタ７１が中継コネクタ５４と接続されて、メインボード７５がフレーム部材６０のブラケット６１にねじ８１によって固定された構成であり、一枚のメインボード７５について４つのI/Oコネクタソケット５２−１〜５２−４が横に二列に並んでいる構成である。メインボード側コネクタ７１と中継コネクタ５４との接続の方向は、Ｚ１−Ｚ２方向である。
【００１３】
図４及び図５に示すように、シャーシパネル１１Ａにはコネクタソケットモジュール装置８０が組み込まれてねじ止めされている。コネクタソケットモジュール５０はフロントパネル１２Ａ側からねじ９１，９２によってフロントパネル１２Ａの裏面に固定してあり、４つのI/Oコネクタソケット５２−１〜５２−４がフロントパネル１２Ａの開口より突き出して二列に並んでいる。また、メインボード７５は、底板１３Ａに固定される柱部９２にねじ９３によって固定される。
【００１４】
この構成によれば、一枚のメインボード７５についてI/Oコネクタソケット５２−１〜５２−４が横に二列に並んでいる構成であるため、一枚のメインボードについてI/Oコネクタソケットが一列である場合に比較して、メインボードの枚数が少なくて済み、設計及び組み立てはし易い。
【００１５】
ここで、サーバ１０Ａについては、設置の容易化等のために、高さ寸法Ｈ１を低くすることが要求されている。
【００１６】
しかし、上記のコネクタソケットモジュール装置８０のメインボード７５と中継基板５３との位置関係についてみると、図５に示すように、メインボード７５は中継基板５３の下端よりも下側に配置される。更には、ねじ８１の頭部がメインボード７５の下面に突出している。よって、コネクタソケットモジュール装置８０の高さ寸法Ａ１は、中継基板５３の高さ寸法Ｂ１にメインボード７５の厚さ寸法Ｃ１、更にはねじ８１の頭部の高さ寸法Ｄ１を加えた寸法（Ｂ１＋Ｃ１＋Ｄ１）となっており、低背化が難しかった。
【００１７】
本発明は、上記の点に鑑みなされたものであり、上記課題を解決したコネクタソケットモジュール及びこれを用いた電子機器を提供することを目的とする。
【課題を解決するための手段】
【００１８】
本発明の一局面のコネクタソケットモジュールは、複数のコネクタソケットと、前記コネクタソケットが前面側に配列され、当該コネクタソケットに接続される配線がパターニングされる中継基板と、前記中継基板の背面側に配設され、前記配線を介して前記コネクタソケットと電気的に接続される中継コネクタと、前記中継コネクタと接続されるメインボード側コネクタを有するメインボードを前記中継基板の背面側から延出するように、前記中継基板の下端と上端との間の所定の高さ位置で支持するメインボード支持手段とを含む。
【００１９】
また、前記メインボード支持手段は、前記中継基板の下端側に結合され、前記中継基板の背面から突出し、前記メインボードを支持する第１の腕部を有するアーム部材であり、
前記メインボードは前記第１の腕部上に支持されて、前記第１の腕部に固定されてもよい。
【００２０】
また、前記第１の腕部は、その先端に前記メインボードを支持する支持部を有し、且つ、前記支持部が前記第１の腕部の根元の部分より高い位置に位置させる形状を有してもよい。
【００２１】
また、前記中継基板は、その下端側に切欠き部を有し、前記アーム部材は、前記切欠き部に嵌合してもよい。
【００２２】
また、前記中継コネクタは、その接続口が前記中継基板の後方を向く構成であってもよい。
【００２３】
また、前記コネクタソケットモジュール本体を支える本体部と、前記中継基板のコーナの箇所から前記中継基板の前方に突出して前記シャーシパネルに当接する突出部とを有してもよい。
【００２４】
また、前記フレーム部材は、前記シャーシパネルに固定されるブラケット部を更に有してもよい。
【００２５】
また、前記アーム部材は、前記中継基板の前方に突出して前記シャーシパネルに当接する第２の腕部を更に有してもよい。
【００２６】
また、前記メインボード側コネクタは、前記メインボードの下面側に配設されており、
前記メインボード支持手段は、前記メインボード側コネクタと、当該メインボード側コネクタに接続される前記中継コネクタとを避けて、前記メインボードの下面側から当該メインボードを支持てもよい。
【００２７】
また、前記メインボード支持手段は、平面視において、前記メインボード側コネクタの両脇で前記メインボードを支持するための一対のアーム部を有してもよい。
【００２８】
本発明の一局面の電子機器は、前記いずれかに記載のコネクタソケットモジュールと、前記メインボード支持手段によって支持される前記メインボードとが前記シャーシパネル内に組み込まれる。
【発明の効果】
【００２９】
メインボード支持手段によって、メインボードは、その端面が中継基板の背面に対向する高さ位置に支持されるため、コネクタソケットモジュールとメインボードとが組み合わされてなるコネクタソケットモジュール装置において、メインボードの厚さは中継基板の高さ寸法の範囲内に収まることになり、よって、コネクタソケットモジュール装置の高さがコネクタソケットモジュールだけの高さとなるようになり、低背化が図られる。
【００３０】
これによって、コネクタソケットモジュール装置が組み込まれる電子機器の低背化に対応が可能となる。
【発明を実施するための最良の形態】
【００３１】
次に本発明のコネクタソケットモジュール及びこれを用いた電子機器を適用した実施例について説明する。
【実施例１】
【００３２】
図６乃至図９はサーバ１０Ｂの全体及び一部を示す図である。具体的には、図６は本発明の実施例１になるコネクタソケットモジュール装置１００が組み込んであるサーバ１０Ｂを示す。図７は図６中の一部を断面して示す図である。図８は図７中の一部を拡大して示す図である。図９は図６中の一部を拡大して断面して示す図である。
【００３３】
図１０乃至図１２はコネクタソケットモジュール装置１００を示す図である。具体的には、図１０はコネクタソケットモジュール装置１００の全体を示し、図１１はコネクタソケットモジュール装置１００を分解して、コネクタソケットモジュール１０１とメインボード装置７０Ｂとを対応させて、前側から見て示し、図１２は後ろ側から見て示す。
【００３４】
図１３乃至図１６はコネクタソケットモジュール装置１００を示す図である。図１３はコネクタソケットモジュール１００の斜視図である。図１４はコネクタソケットモジュール１００の平面図である。図１５はコネクタソケットモジュール装置１００の断面図である。図１６はコネクタソケットモジュール装置１００を分解して示す。
【００３５】
各図中、図３，４，５に示す構成部分と実質上同一部分には、添字Ｂを付した同一符号を付す。Ｘ１−Ｘ２はコネクタソケットモジュール装置１００及びコネクタソケットモジュール１０１の幅方向（左右方向）、Ｙ１−Ｙ２は奥行き方向、Ｚ１−Ｚ２は高さ方向である。
［全体の概略構成］
サーバ１０Ｂはコネクタソケットモジュール装置１００がシャーシパネル１１Ｂ内に組み込んである構成である。コネクタソケットモジュール装置１００の高さ寸法Ａ２は図５に示すコネクタソケットモジュール装置８０の高さ寸法Ａ１よりも短い。サーバ１０Ｂの高さ寸法Ｈ２、即ち、シャーシパネル１１Ｂの高さ寸法Ｈ２、は図５に示すサーバ１０Ａの高さ寸法Ｈ１よりも短い。
【００３６】
コネクタソケットモジュール装置１００はコネクタソケットモジュール１０１とメインボード装置７０Ｂとを含む（図１０、図１１、図１２参照）。コネクタソケットモジュール１０１はモジュール本体５１Ｂとフレーム部材１２０とアーム部材１３０とを含む（図１３、図１４、図１５参照）。また、サーバ１０Ｂは、複数のI/Oコネクタソケット５２−１〜５２−４が並んで露出している構成である。I/Oコネクタソケット５２−１〜５２−４は外部の電子機器と接続するためのコネクタであり、ケーブル側コネクタプラグ４０（図１参照）が接続される。
【００３７】
［コネクタソケットモジュール装置１００の概略構造］
図６、図１０、図１１に示すように、コネクタソケットモジュール装置１００は、コネクタソケットモジュール１０１と、メインボード装置７０Ｂとを含む。コネクタソケットモジュール１０１の中継基板５３Ｂとメインボード１５０とは、略直角をなし、且つ、メインボード１５０は高さ方向については中継基板５３ＢのＺ２側の端面５３ＢｇよりもＺ１側に位置し、且つ、メインボード１５０の端面部１５０Ｒｃ、１５０Ｌｃが中継基板５３Ｂの背面５３Ｂｂに当接している。また、中継コネクタ１１０とメインボード側コネクタ１５１との接続の方向はＹ１−Ｙ２方向である。
【００３８】
[サーバ１０Ｂのシャーシパネル１１Ｂ内の概略構造]
図６は、コネクタソケットモジュール装置１００がサーバ１０Ｂのシャーシパネル１１Ｂ内に組み込まれている状態を示す。シャーシパネル１１Ｂは、フロントパネル１２Ｂと、底板１３Ｂと、天板１４Ｂとを有する。コネクタソケットモジュール１０１は、ねじ１０５によってフロントパネル１２Ｂに、ねじ１０６によって天板１４Ｂに夫々ねじ止めされる。メインボード１５０は、ねじ１０７によってコネクタソケットモジュール１０１にねじ止めしてあり、且つ、メインボード１５０は、ねじ１０８とナット１０９によって底板１３Ｂに固定される。
【００３９】
[コネクタソケットモジュール１０１の概略構造]
コネクタソケットモジュール１０１は、図１４、図１５及び図１６に示すように、コネクタソケットモジュール本体５１Ｂと、金属製のフレーム部材１２０と、金属製のアーム部材１３０とを含む。
【００４０】
コネクタソケットモジュール１０１及びコネクタソケットモジュール本体５１Ｂは、Ｚ軸方向に延在する中心線ＶＣＬに関して左右対称な形状であり、Ｘ１側に位置する部分には符号Ｒ（right）を追加した符号を付し、Ｘ２側に位置する部分には符号Ｌ（left）を追加した符号を付す。ＨＣＬはコネクタソケットモジュール本体５１ＢのＸ軸方向の中心線である。
【００４１】
[コネクタソケットモジュール本体５１Ｂの構造]
コネクタソケットモジュール本体５１Ｂは、図１６に示すように、モジュール本体５１Ｂは、長方形の中継基板５３Ｂの前面５３Ｂａに４つのI/Oコネクタソケット５２−１〜５２−４がマトリクス状に配置されて第１の横列ＨＬ１と第２の横列ＨＬ２、及び第１の縦列ＶＬ１と第２の縦列ＶＬ２とを形成するように整列して実装してあり、且つ、図１５及び図１２に示すように、中継基板５３Ｂの背面５３Ｂｂに中継コネクタ１１０及び複数のチップ部品１１５が実装される構成である。中継基板５３Ｂの表面及び内部に形成される配線パターンによって、４つのI/Oコネクタソケット５２−１〜５２−４の端子と中継コネクタ１１０の端子とが電気的に接続される。
【００４２】
I/Oコネクタソケット５２−１〜５２−４は図３に示す状態よりも間隔を狭くして配置してあり、横列ＨＬ１、ＨＬ２間の間隔ｐ１１は前記の間隔ｐ１より短く、縦列ＶＬ１、ＶＬ２間の間隔ｐ１２も前記の間隔ｐ２より短い（図３参照）。よって、中継基板５３Ｂの高さ寸法Ｂ２は、前記の中継基板５３の高さ寸法Ｂ１よりも短い。
【００４３】
図１５及び図１２に示すように、中継コネクタ１１０の接続口１１０ａ及び位置決めスリット１１１は共にＹ１側が開口である向きである。
【００４４】
図１６に示すように、中継基板５３Ｂは、Ｚ１側の縁のＸ１側とＸ２側とに切欠き部５３ＢｃＲ、５３ＢｃＬを有し、Ｚ２側の縁のＸ１側とＸ２側とに切欠き部５３ＢｄＲ、５３ＢｄＬを有し、且つ、中央に、貫通穴５３Ｂｅ（図１５参照）を有する。貫通穴５３Ｂｅは、マトリクス状に配置された４つのコネクタソケット５２−１〜５２−４の中央に位置している。切欠き部５３ＢｄＲ、５３ＢｄＬによって、中継基板５３Ｂは、Ｚ２端に、切欠き部５３ＢｄＲ、５３ＢｄＬよりＺ２方向に突出した縁部５３Ｂｆを有する。縁部５３Ｂｆの端面が、中継基板５３ＢのＺ２側の端面５３Ｂｇである。
【００４５】
[フレーム部材１２０の構造]
フレーム部材１２０は、コネクタソケットモジュール本体５１Ｂを支える共に、コネクタソケットモジュール本体５１ＢのＺ１側をシャーシパネル１１Ｂに固定する役割を有する。
【００４６】
図１６及び図１４に示すように、フレーム部材１２０は、金属板を所定形状に打ち抜いて、折り曲げて形成したものであり、本体部１２１と、この左右側の、横側ブラケット部１２２Ｒ、１２２Ｌと、突出部１２３Ｒ、１２３Ｌと、Ｚ１側の上側ブラケット部１２４Ｒ、１２４Ｌと有する構成である。
【００４７】
本体部１２１は、中央にＸ方向に長いスリット１２１ａを有し、スリット１２１ａよりＺ２側の部分にＹ２方向にＵ字形状に突出した固定台部１２５を有し、スリット１２１ａよりＺ１側の部分には、Ｙ１方向にＵ字形状に突出した繋ぎ部１２６を有する。
【００４８】
固定台部１２５は、中継基板５３Ｂの背面５３Ｂｂが当たる部分であり、ねじが通る穴１２５ａが形成される。この固定台部１２５は、中継基板５３Ｂの背面５３Ｂｂと本体部１２１との間に、前記チップ部品１１５が収まる空間１２９を形成する。Ｕ字形の繋ぎ部１２６は、スリット１２１ａよりＺ１側の部分の長さを固定台部１２５の長さと同じ長さとするために形成してあり、中継基板５３Ｂの背面５３Ｂｂにより広い空間を形成する。また、Ｕ字形の固定台部１２５及び繋ぎ部１２６は、フレーム部材１２０の剛性を高める。
【００４９】
横側ブラケット部１２２Ｒ、１２２Ｌは、本体部１２１の左右端のＺ２側の箇所よりＹ１方向に突出しており、中継基板５３Ｂの背面５３Ｂｂのうち左右端の箇所を受ける役割を有する。
【００５０】
突出部１２３Ｒ、１２３Ｌは、横側ブラケット部１２２Ｒ、１２２ＬのＺ１側の箇所からＹ１方向に突出しており、前記切欠き部５３ＢｃＲ、５３ＢｃＬに嵌合してモジュール本体５１Ｂのフレーム部材１２０に対する位置を決める。シャーシパネル１１Ｂとの関係では、突出部１２３Ｒ、１２３Ｌは、フロントパネル１２Ｂの裏面のうちＺ１寄りの部分に当接する（図６参照）。
【００５１】
上側ブラケット部１２４Ｒ、１２４Ｌは、本体部１２１のＺ１側の縁の左右端の近くの箇所よりＹ１側に突出しており、Ｘ−Ｙ面内に位置しており、ねじが通る穴１２４Ｒａ、１２４Ｌａを有し、天板１４Ｂに固定される。
【００５２】
［アーム部材１３０］
アーム部材１３０は、コネクタソケットモジュール本体５１ＢのＺ２側を支える共に、メインボード装置７０Ｂを中継基板５３ＢのＺ２側の端よりもＺ１側に偏倚した高さ位置に支え、且つ、コネクタソケットモジュール本体５１ＢのＺ２側のフロントパネル１２Ｂに対する位置を決める役割を有する。
【００５３】
図１６に示すように、アーム部材１３０は、金属板を所定形状に打ち抜くと同時に折り曲げて形成したものであり、Ｘ方向に長い本体部１３１と、この両端より、Ｙ１方向に延在する第１の腕部１３２Ｒ、１３２Ｌと、本体部１３１の両端よりＹ２方向に突出している第２の腕部１３３Ｒ、１３３Ｌとを有する。
【００５４】
第１の腕部１３２Ｒ、１３２Ｌは、Ｚ１方向に傾斜している傾斜部１３２Ｒａ、１３２Ｌａと、この先端の水平の支持部１３２Ｒｂ、１３２Ｌｂとを有する。支持部１３２Ｒｂ、１３２Ｌｂは本体部１３１よりＺ１方向に寸法Ｊ高い位置に位置する。寸法Ｊは、バーリング加工分及び後述するねじの先端の突出部分を加算した寸法よりも長い。支持部１３２Ｒｂ、１３２Ｌｂには、雌ネジ部１３２Ｒｃ、１３２Ｌｃが形成される。この雌ネジ部１３２Ｒｃ、１３２ＬｃはＺ２方向に突出したバーリング加工部１３２Ｌｄの内周に形成される。
【００５５】
第２の腕部１３３Ｒ、１３３Ｌは、Ｚ１方向に傾斜して延在しており、前記腕部分１２３Ｒ、１２３Ｌと同程度に突出しており、その先端はフロントパネル１２Ｂの裏面のうちＺ１寄りの部分に当接する。
【００５６】
また、第２の腕部１３３Ｒ、１３３Ｌには、本体部１３１との付け根の箇所に、スリット部１３４Ｒ、１３４Ｌが形成される。スリット部１３４Ｒ、１３４Ｌは中継基板５３ＢのＺ２端の縁部５３Ｂｆの両端部に嵌合する。第２の腕部１３３Ｒ、１３３Ｌのうち、スリット部１３４Ｒ、１３４Ｌに対応する部位１３３Ｒａ、１３４Ｌａが、夫々中継基板５３Ｂの切欠き部５３ＢｄＲ、５３ＢｄＬと嵌合する。
【００５７】
[コネクタソケットモジュール１０１の構造]
コネクタソケットモジュール１０１は、図１３、図１４、図１５に示すように、コネクタソケットモジュール本体５１Ｂがフレーム部材１２０と組み合わされてＹ１側からねじ１４０によってねじ止めされて一体化され、且つ、コネクタソケットモジュール本体５１Ｂにアーム部材１３０が取り付けられた構成である。
【００５８】
<フレーム部材１２０と中継基板５３Ｂとの関係>
中継基板５３Ｂの背面５３Ｂｂにおいて、中継基板５３Ｂの中心の部位が固定台部１２５とねじ止めされる。ねじ止めは、スペーサ部材１４５を中継基板５３Ｂの前面５３Ｂａのうち貫通穴５３Ｂｅの箇所に配置し、ワッシャ１４１を嵌合させたねじ１４０を中継基板５３Ｂの背面５３Ｂｂ側より穴１２５ａ、貫通穴５３Ｂｅを通し、スペーサ部材１４５のねじ穴１４６にねじ込むことによってなされている。スペーサ部材１４５は、マトリクス状に配置された４つのコネクタソケット５２−１〜５２−４の間の隙間に収まるサイズの直方体形状を有し、中央に貫通したねじ穴１４６を有する構成である。
【００５９】
中継基板５３Ｂの背面５３Ｂｂのうち左右端の箇所と、横側ブラケット部１２２Ｒ、１２２Ｌとが夫々当接している。
【００６０】
突出部１２３Ｒ、１２３Ｌの根元の箇所が夫々中継基板５３Ｂの切欠き部５３ＢｃＲ、５３ＢｃＬに嵌合している。突出部１２３Ｒ、１２３Ｌは中継基板５３ＢのＺ１側のＸ１とＸ２側のコーナの箇所より、Ｙ２方向に突出している。
【００６１】
<アーム部材１３０と中継基板５３Ｂとの関係>
中継基板５３ＢのＺ２端の縁部５３Ｂｆの両端部が夫々スリット部１３４Ｒ、１３４Ｌと嵌合しており、中継基板５３Ｂの切欠き部５３ＢｄＲ、５３ＢｄＬが夫々部位１３３Ｒａ、１３３Ｌａと嵌合している。
【００６２】
第１の腕部１３２Ｒ、１３２Ｌは、中継基板５３ＢのＺ２側のＸ１とＸ２側のコーナの箇所より、Ｙ１方向に突出している。
【００６３】
第２の腕部１３３Ｒ、１３３Ｌは、中継基板５３ＢのＺ２側のＸ１とＸ２側の箇所より、Ｙ２方向に突出している。
【００６４】
［メインボード装置７０Ｂの構造]
図１１及び図１２に示すように、メインボード装置７０Ｂは、メインボード１５０上に、メインボード側コネクタ１５１及びコントロールＬＳＩ（図示せず）等が実装される構成である。このメインボード側コネクタ１５１の接続口１５１ａはＹ２側を向いており、位置決め突起１５２はＹ２方向に突出している。
【００６５】
メインボード１５０は、厚さがＣであり、上面１５０ａ、下面１５０ｂを有し、且つ、Ｙ２側の端の両端に端面部１５０ｃＲ，１５０ｃＬを有し、更に、前記の雌ネジ部１３２Ｒｃ、１３２Ｌｃに対応する貫通孔１５０ｄＲ，１５０ｄＬ、及び後記のスタッド１８０に対応する貫通孔１５０ｅＲ，１５０ｅＬを有する。
【００６６】
［コネクタソケットモジュール装置１００の構造］
図１０に示すように、コネクタソケットモジュール装置１００は、コネクタソケットモジュール１０１とメインボード装置７０Ｂとが結合された構成である。
【００６７】
メインボード側コネクタは、Ｙ２側から、位置決め突起１５２が位置決めスリット１１１に嵌合して中継コネクタ１１０に対して位置合わせされた状態で、中継コネクタ１１０と接続している。メインボード側コネクタとメインボード側コネクタ１１０とは、Ｙ１−Ｙ２方向に並んだ状態にある。
【００６８】
メインボード１５０は、アーム部材１３０の第１の腕部１３２Ｒ、１３２Ｌの支持部１３２Ｒｂ、１３２Ｌｂ上に支持されている。また、ねじ１０３がメインボード１５０の上面１５０ａ側から貫通孔１５０ｄＲ（１５０ｄＬ）を通って雌ネジ部１３２Ｒｃ（１３２Ｌｃ）に締めてあり、メインボード１５０は、アーム部材１３０の第１の腕部１３２Ｒ、１３２Ｌに固定される。ねじ１０３の頭部１０３ａは、メインボード１５０の上面１５０ａ側に位置している。
【００６９】
メインボード１５０は、中継基板５３ＢのＺ２側の端面５３ＢｇよりもＺ１側の高さ位置に位置している。また、メインボード１５０の端面部１５０ｃＲ，１５０ｃＬが中継基板５３Ｂの背面５３Ｂｂに突き当たっている。
【００７０】
メインボード１５０は中継基板５３Ｂの高さ寸法の範囲内に含まれており、よって、コネクタソケットモジュール装置１００の高さ寸法Ａ２は、図５に示すコネクタソケットモジュール装置８０の高さ寸法Ａ１に比較して、少なくとも、メインボード１５０の厚さＣの分だけ短い。
【００７１】
[シャーシパネル１１Ｂの構造]
図１７に示すように、シャーシパネル１１Ｂは、フロントパネル１２Ｂと、底板１３Ｂと、天板１４Ｂとを有する。シャーシパネル１１Ｂの高さ寸法はＨ２であり、図５の高さ寸法Ｈ１よりも短い。
【００７２】
フロントパネル１２Ｂには、コネクタソケット５２−１〜５２−４が突出する開口１６０、ねじ１０５用の孔１６１が形成される。天板１４Ｂの下面には、ねじ穴付きのスタッド１７０が圧入されて固定される。スタッド１７０はねじ１０６と組みをなす。底板１３Ｂには、スタッド１８０が圧入されて固定される。スタッド１８０は底板１３Ｂの上面に突出している。スタッド１８０は、筒状であり、外周面に雄ネジ部１８０ａを有し、内周面に雌ネジ部１８０ｂを有する。スタッド１８０は、ナット１０９及びねじ１０８と組みをなす。ナット１０９は予め雄ネジ部１８０ａに螺合される。スタッド１８０、ナット１０９及びねじ１０８は、メインボード１５０の上面１５０ａの底板１３Ｂに対する高さ位置Pを、メインボード１５０の厚さCの公差に影響されないで決めるように機能する。
【００７３】
［コネクタソケットモジュール装置１００のシャーシパネル１１Ｂへの固定構造］
図６及び図７に示すように、コネクタソケットモジュール装置１００は、コネクタソケット５２−１〜５２−４の先端側の部分がフロントパネル１２Ｂの開口１６０より突出した状態で、ねじ１０５、１０６、１０８によって、互いに離れている三箇所をシャーシパネル１１Ｂの内側に固定される。
【００７４】
ねじ１０５は、コネクタソケットモジュール装置１００のうちのコネクタソケットモジュール１０１をフロントパネル１２Ｂに固定している。ねじ１０６は、コネクタソケットモジュール１０１を天板１４Ｂに固定している。ねじ１０８はコネクタソケットモジュール装置１００のうちのメインボード装置７０Ｂを底板１３Ｂに固定している。
【００７５】
図８に拡大して示すように、ねじ１０５は、Ｙ２側からフロントパネル１２Ｂの穴１６１を通してスペーサ部材１４５のねじ穴１４６に螺合して締めてあり、コネクタソケットモジュール１０１のうちＹ２側の中心の箇所をフロントパネル１２Ｂの裏面に固定している。より具体的には、貫通したねじ穴１４６を有するスペーサ部材１３１とこれに両側から螺合したねじ１４０、１０５によって、コネクタソケットモジュール本体５１Ｂの中心の箇所が、フロントパネル１２Ｂの裏面に固定される。
【００７６】
また、図６及び図７に示すように、ねじ１０６は、Ｚ２側からブラケット部１２４Ｒ、１２４Ｌの穴１２４Ｒａ、１２４Ｌａを通してスタッド１７０に螺合させて締めることによって、ブラケット部１２４Ｒ、１２４Ｌが天板１４Ｂに固定される。
【００７７】
また、ねじ１０８とナット１０９とが、メインボード１５０をスタッド１８０に固定している。
【００７８】
よって、コネクタソケットモジュール装置１００のうちのコネクタソケットモジュール１０１は、Ｙ２側をねじ１０５によってフロントパネル１２Ｂに直接に、Ｚ１側をねじ１０６によって天板１４Ｂに直接に、Ｚ２側についてはメインボード１５０、スタッド１８０を介して底板１３Ｂに固定されている。よって、コネクタソケットモジュール１０１はシャーシパネル１１Ｂ内に堅固に固定される。
【００７９】
<メインボード１５０のスタッド１８０への固定構造>
メインボード１５０のスタッド１８０への固定は以下の手順で行う。図９に拡大して示すように、先ず、メインボード１５０の貫通穴１５０ｅＲをスタッド１８０に嵌合させてナット１０９に支持させ、ナット１０９を適宜回してＺ１−Ｚ２方向に動かして、メインボード１５０の上面１５０ａの高さを位置Ｐとする。高さを位置Ｐは、メインボード側コネクタ１５１の高さが中継コネクタ１１０に丁度対向する位置である。ねじ１０８をこれにワッシャ１０８ａを嵌合させて、スタッド１８０の雌ネジ部１８０ｂに螺合させて最終位置まで締める。これによって、メインボード１５０はワッシャ１０８ａとナット１０９との間に挟み付けられて、上面１５０ａが所定の高さ位置Ｐとされて固定される。よって、メインボード１５０は、その厚さＣの公差の影響を受けないで、上面１５０ａを所定の高さ位置Ｐとされて固定される。よって、メインボード側コネクタ１５１と中継コネクタ１１０との接続部分に無用な応力は発生しない。
【００８０】
<突出部１２３Ｒ、１２３Ｌ、第２の腕部１３３Ｒ、１３３Ｌの作用>
操作者がケーブル側コネクタプラグ４０（図１参照）を手で持ってコネクタソケット５２−１〜５２−４に差し込んで接続するときに、ケーブル側コネクタプラグ４０が接続されるコネクタソケットにはＹ１方向に押される力が作用する。
【００８１】
ここで、コネクタソケットモジュール１００とフロントパネル１２Ｂとの間のねじ止め箇所は中継基板５３Ｂの中心の一箇所であるので、ケーブル側コネクタプラグ４０をサーバ１０Ｂに接続するときに作用される上記の力によって、コネクタソケットモジュール１００は中継基板５３Ｂの中心のねじ止め箇所を通る軸線ＶＣＬ（図１６参照）に関する回動モーメントと中心のねじ止め箇所を通る軸線ＨＣＬ（図１６参照）に関する回動モーメントが作用する。
【００８２】
図６及び図７に示すように、突出部１２３Ｒ、１２３Ｌの先端がフロントパネル１２Ｂの裏面のうちＺ１寄りの部分に突き当たっており、且つ、第２の腕部１３３Ｒ、１３３Ｌの先端がフロントパネル１２Ｂの裏面のうちＺ２寄りの部分に突き当たっている。
【００８３】
このため、軸線ＶＣＬを中心とする回動モーメントは、突出部１２３Ｒ及び第２の腕部１３３Ｒの先端がフロントパネル１２Ｂの裏面のうちＸ１寄りの部分に係止されることによって、或いは、突出部１２３Ｌ及び第２の腕部１３３Ｌがフロントパネル１２Ｂの裏面のうちＸ２寄りの部分に係止されることによって、受け止められ、がたつかない。軸線ＨＣＬを中心とする回動モーメントは、突出部１２３Ｒ、１２３Ｌの先端がフロントパネル１２Ｂの裏面のうちＺ１寄りの部分に係止されることによって、或いは、第２の腕部１３３Ｒ、１３３Ｌの先端がフロントパネル１２Ｂの裏面に当接することによって、受け止められ、がたつかない。よって、ケーブル側コネクタプラグ４０をサーバ１０に接続する作業（図１参照）は違和感無く正常に行われる。
【００８４】
なお、スタッド１８０を介して底板１３Ｂに固定されるメインボード１５０の端面部１５０ｃＲ，１５０ｃＬが中継基板５３Ｂの背面５３Ｂｂに突き当たっている構成も、中継基板５３Ｂに作用する軸線ＶＣＬを中心とする回動モーメント、及び、軸線ＨＣＬを中心とする図１６中Ｘ１側からみて反時計方向の回動モーメントを受け止めるように機能する。
【００８５】
「実施例２」
図１８は、実施例２のコネクタソケットモジュール装置の構成を示す断面図である。この実施例２のコネクタソケットモジュールは、メインボード側コネクタ１５１が１５０の下面側に配設されており、メインボード支持手段としてフレーム２００及びアーム部材２１０を備える点が実施例１のコネクタソケットモジュール装置と異なる。その他の構成は、基本的に実施例１のコネクタソケットモジュール装置に準ずる。このため、実施例１における構成要素と同一又は同等の構成要素には同一符号を付し、その説明を省略する。
【００８６】
図１９は、実施例２のコネクタソケットモジュール装置の構成を示す斜視図である。図２０は、実施例２のコネクタソケットモジュール装置の構成を示す図である。
【００８７】
図１９（ａ）に示すように、フレーム２００は、中継基板５３Ｂの背面５３Ｂｂに当接する凹部２００ａと、この凹部２００ａの両側で背面５３Ｂｂとの間に空間を隔てて突出する凸部２００ｂとを含む。凹部２００ａ及び凸部２００ｂは、上下に２段設けられる。なお、上下段の凹部２００ａには、それぞれ、ねじ穴が開けられており、下段の凸部２００ｂにもねじ穴が開けられている。
【００８８】
このようなフレーム２００は、上下段の凹部２００ａのねじ穴にねじ２０１を挿通させ、中継基板５３Ｂの背面５３Ｂｂにネジ止めすることによって固定される。すなわち、フレーム２００は、２箇所のねじ止めによって中継基板５３Ｂに固定される。
【００８９】
図１９（ｂ）に示すように、アーム部材２１０は、ベース部２１０ａに一対の孔部２１０ｂを有する。この孔部２１０ｂは縦に長く開口されており、アーム部材２１０をフレーム２００にネジ止めする際に、高さを調整できるように構成されている。また、このアーム部材２１０は、平面視において、メインボード１５０を支持するための一対のアーム部２１０ｃを幅方向における両端部に有する。アーム部２１０ｃには、アーム部材２１０とメインボード１５０をネジ止めするための孔部２１０ｄが形成されている。
【００９０】
アーム部材２１０は、フレーム２００の下段の凸部２００ｂに開けられたねじ穴と孔部２１０ｂを合わせた状態で、ねじ２１１によってフレーム２００に固定される（この状態を図２０（ａ）乃至（ｃ）に示す）。
【００９１】
また、アーム部材２１０は、図１８に示すように、メインボード側コネクタ１５１及び中継コネクタ１１０を避けて、メインボード１５０の下面に延出し、ねじ１０７によってメインボード１５０と固定される。なお、図２０（ｄ）は、この状態を背面側から見た斜視図で示している。
【００９２】
このようなフレーム２００及びアーム部材２１０を用いて中継基板５３Ｂに対してメインボード１５０を支持させると、中継コネクタ１１０の位置を中継基板５３Ｂの高さの中央付近に設定することができるので、実施例１の場合よりも中継基板５３Ｂの下方における高さ寸法を短くすることができ、実施例１の場合よりもさらに低背化を図ることができる。これは、実施例１のようにメインボード１５０が中継基板５３Ｂの高さ方向における下方に配設される場合は、メインボード１５０の下に、アーム部材１３０及びねじ１０８による固定のための空間を確保するための高さが必要であるが、実施例２のようにメインボード１５０の高さを中継基板５３Ｂの高さの中央付近に配設できる場合は、アーム１３０及びねじ１０８による固定のための空間を考慮する必要がなくなるためである。
【００９３】
なお、実施例２のコネクタソケットモジュールでは、実施例１のコネクタソケットモジュールよりもアーム部材１３０の取り付け位置が高くなったことにより、中継基板５３Ｂの背面５３Ｂｂ側の下方における空間に余裕がある。このため、図１９（ａ）及び図２０（ａ）に示すように、コネクタソケットモジュールをシャーシパネル１１Ｂにネジ止めする箇所を上下２箇所に増やすことができ、これにより、シャーシパネル１１Ｂへの取り付け強度を向上させることができる。
【００９４】
以上、本発明の例示的な実施の形態のコネクタソケットモジュール及びこれを用いた電子機器について説明したが、本発明は、具体的に開示された実施の形態に限定されるものではなく、特許請求の範囲から逸脱することなく、種々の変形や変更が可能である。
【図面の簡単な説明】
【００９５】
【図１】従来のサーバの一部を示す図である。
【図２】図１に示す部分を示す斜視図である。
【図３】本出願人が先に出願したコネクタソケットモジュールをメインボードと対応させて示す斜視図である。
【図４】図３のコネクタソケットモジュールがメインボードと共にシャーシパネル内に組み込んであるサーバ装置の一部の斜視図である。
【図５】図４のサーバ装置の側面図である。
【図６】本発明の実施例１になるサーバの側面図である。
【図７】図６のサーバの縦断側面図である。
【図８】図７中、楕円２００で囲んだ部分を拡大して示す図である。
【図９】図６中、楕円２０１で囲んだ部分の拡大断面図である。
【図１０】本発明の実施例１になるコネクタソケットモジュール装置の縦断側面図である。
【図１１】図１０のコネクタソケットモジュール装置を分解して前側から見て示す斜視図である。
【図１２】図１０のコネクタソケットモジュール装置を分解して後ろ側から見て示す斜視図である。
【図１３】本発明の実施例１になるコネクタソケットモジュールの斜視図である。
【図１４】図１３のコネクタソケットモジュールの平面図である。
【図１５】図１３のコネクタソケットモジュールの縦断側面図である。
【図１６】図１３のコネクタソケットモジュールを分解して示す斜視図である。
【図１７】シャーシパネルを示す図である。
【図１８】実施例２のコネクタソケットモジュール装置の構成を示す断面図である。
【図１９】実施例２のコネクタソケットモジュール装置の構成を示す斜視図である。
【図２０】実施例２のコネクタソケットモジュール装置の構成を示す図である。
【符号の説明】
【００９６】
１０Ｂ  サーバ
１１Ｂ  シャーシパネル
１２Ｂ  フロントパネル
５１Ｂ  モジュール本体
５２−１〜５２−４  I/Oコネクタソケット
５３Ｂ  中継基板
７０Ｂ  メインボード装置
１００  コネクタソケットモジュール装置
１０１  コネクタソケットモジュール
１１０  中継コネクタ
１２０  フレーム部材
１３０  アーム部材
１４０  スペーサ
１５０  メインボード
１５１  メインボード側コネクタ
１８０  スダッド
２００  アーム部材
２００ａ  ベース部
２００ｂ  孔部
２００ｃ  アーム部
２００ｄ  孔部
【図１】
2008270140.tif 000003
【図５】
2008270140.tif 000004
【図６】
2008270140.tif 000005
【図８】
2008270140.tif 000006
【図９】
2008270140.tif 000007
【図１７】
2008270140.tif 000008
【図１８】
2008270140.tif 000009
【図２】
2008270140.tif 000010
【図３】
2008270140.tif 000011
【図４】
2008270140.tif 000012
【図７】
2008270140.tif 000013
【図１０】
2008270140.tif 000014
【図１１】
2008270140.tif 000015
【図１２】
2008270140.tif 000016
【図１３】
2008270140.tif 000017
【図１４】
2008270140.tif 000018
【図１５】
2008270140.tif 000019
【図１６】
2008270140.tif 000020
【図１９】
2008270140.tif 000021
【図２０】
2008270140.tif 000022